(57)【要約】【課題】モータを取り付けている主地板と補助地板との間に、該モータによって駆動される羽根の羽根室を構成しており、補助地板が薄い材料で製作されていても、モータの出力ピンが、補助地板から羽根室外へ殆ど突き出なくて済むようにしたカメラ用羽根駆動装置を提供すること。【解決手段】モータＭ１を取り付けている主地板１と補助地板２の間に羽根室が構成され、そこに、周知の２枚構成のシャッタ羽根１０，１１と１枚の絞り羽根１２とが配置されていて、モータＭ１の出力ピン３ｃがシャッタ羽根１０，１１に形成された周知の長孔に嵌合している。また、出力ピン３ｃの先端には鍔部３ｄが形成され、補助地板２の長孔２ｂ内で作動するようにようになっている。そのため、補助地板２が薄くても、補助地板２側の羽根室外のカメラ設計に自由度が増し、且つシャッタ羽根１０，１１が変形しても、出力ピン３ｃから外れることはない。【選択図】  図２
2004205996.tif 000002
【特許請求の範囲】
【請求項１】
径方向に着磁された永久磁石を有していて所定の回転角度範囲でのみ往復回転する回転子と、巻回されているコイルへの通電方向に対応した方向へ前記回転子を回転させる固定子と、前記回転子と一体であって該回転子の径方向に張り出した位置において該回転子の回転軸と平行に延伸して設けられた合成樹脂製の出力ピンと、前記回転子と前記固定子からなるモータを一方の面に取り付けており前記出力ピンを他方の面側に貫通させるための長孔と光軸を中心にした撮影光路用の開口部とを有している主地板と、前記主地板との間に少なくとも一つの羽根室を構成しており光軸を中心とした撮影光路用の開口部を有する補助地板と、前記出力ピンを嵌合させる孔を有していて前記羽根室内で前記出力ピンに駆動されて前記開口部に出入りする少なくとも１枚の羽根と、を備えていて、前記出力ピンの先端には、前記羽根の孔に嵌合したあと熱溶解で形成された抜け止め用の鍔部が形成されていることを特徴とするカメラ用羽根駆動装置。
【請求項２】
前記固定子が、前記回転子の回転軸の両端を片方ずつ軸受けしロータ室を構成している二つの枠部材と、前記回転子の軸受け部を囲むようにしてそれらの二つの枠部材の外側に巻回されたコイルとを有していて、前記出力ピンは、前記ロータ室の外に設けられていることを特徴とする請求項１に記載のカメラ用羽根駆動装置。
【請求項３】
前記補助地板には、前記鍔部の作動範囲にわたって長孔が形成されており、該鍔部は、少なくともその一部が該補助地板の厚さ内で作動するようにしたことを特徴とする請求項１又は２に記載のカメラ用羽根駆動装置。
【発明の詳細な説明】
【０００１】
【発明の属する技術分野】
本発明は、シャッタ羽根や絞り羽根をモータで駆動するようにしたカメラ用羽根駆動装置に関する。
【０００２】
【従来の技術】
カメラ用シャッタ機構の中には、２枚のシャッタ羽根を相反する方向へ同時に回転させて、撮影光路用開口を開閉するようにしたものが知られているが、このような構成のシャッタ機構は、銀塩カメラにもデジタルスチルカメラにも採用されている。また、この種のシャッタ機構は、シャッタ羽根が主地板と補助地板の間に構成された羽根室に配置されていて、円形をした撮影光路用開口を、その略中央部から開き且つその略中央部に向けて閉じるようにしているため、シャッタ羽根を所定の途中位置で停止状態にし、撮影終了に際して閉じ作動を行わせることにより、絞り羽根の役目をもさせることも可能となっている。
【０００３】
また、カメラ用絞り機構の中には、予め円形の絞り開口を形成した１枚の絞り羽根を、主地板と補助地板の間に構成した羽根室に配置し、その絞り羽根を撮影光路用開口に挿入状態としたときには小口径で撮影をし、退避状態としたときには大口径での撮影をするようにしたものが知られている。そして、この種の絞り機構は、銀塩カメラにもデジタルスチルカメラにも採用することが可能であるが、必要によってはビデオカメラにも採用することが可能である。また、この種の絞り機構は、絞り機構のユニットとして製作されることもあるし、上記のシャッタ機構と共に一つのユニットとして製作されることもある。そして、後者の場合には、シャッタ羽根も絞り羽根も主地板と補助地板の間に配置され、それらの間を仕切板（中間板ともいう）で仕切るのが普通であるが、仕切板を設けない場合もある。
【０００４】
更に、最近では、カメラの電動化が進み、上記ようなシャッタ羽根や絞り羽根はモータで駆動されるのが普通になってきたが、その場合のモータとしては、低コストで小型化し易いことから、ムービングマグネット型モータと称されている電流制御式のモータを採用することが多くなっている（特許文献１，２，３参照）。このモータは、通常、主地板の羽根室外の面に取り付けられており、その構成には種々のものが知られている（例えば、特許文献１に記載のものや特許文献２に記載のものなど）が、基本的には、２極（又は４極）に着磁された円筒形又は円柱形の永久磁石部を有する回転子が、その径方向位置において回転軸と平行に延伸した出力ピン（駆動ピンともいう）を一体的に有していて、その出力ピンを羽根室内で羽根と連結させ、固定子コイルに対する通電方向に対応した方向へ所定の回転角度範囲で回転するように構成されている。
【０００５】
そして、上記の出力ピンは、磁性体の粒子を混入した合成樹脂材料によって、上記の永久磁石部と同時成形することも知られているが、通常は、円筒形の永久磁石部を予め成形しておき、それに対し合成樹脂材料による所謂アウトサート加工によって、回転軸と共に成形する場合が多い。また、中には、予め出力ピンも別部材として製作しておき、それを永久磁石部と一体に組み立てているものもある。しかしながら、いずれにしても出力ピンは、合成樹脂材料で製作されているのが一般的である。本発明は、このように、回転子と一体化された合成樹脂製の出力ピンが、羽根室内に配置されているシャッタ羽根や絞り羽根を駆動するようにしたカメラ用羽根駆動装置に関するものである。
【０００６】
【特許文献１】
特開２００１−３５６３８９号公報（第３，４頁、図１，２）
【特許文献２】
特開平１０−６８９８０号公報（第３頁、図１〜３）
【特許文献３】
特開平１１−２４９１９６号公報（第３，４頁、図１，２）
【０００７】
【発明が解決しようとする課題】
ところで、上記の出力ピンは、羽根室内において、羽根に形成されている孔に嵌合している。そして、各羽根は、かなり薄い材料で製作されていて、出力ピンによって高速で作動させられ、所定の位置でストッパに当接して停止させられる。そのため、停止時に受ける羽根の衝撃は極めて大きく、その当接によって変形させられ、出力ピンとの嵌合が外れてしまうことがある。そこで、最近では、主地板と補助地板が、合成樹脂材料で製作されるようになってきたこともあって、特許文献１，２に記載されているように、補助地板を厚くし、そこに窪みとして形成した溝内に出力ピンの先端を挿入し、両者の嵌合位置を深くして外れないようにしていた。
【０００８】
しかしながら、最近のカメラの小型化によって、羽根室構成部の薄型化が要求されるようになってきた。そして、その要求に応えるためには、羽根室を構成している主地板と補助地板を薄くする必要があるが、主地板は、モータを取り付けたり、場合によってはレンズを取り付けたりすることもあるので、強度の面で薄くすることは困難である。それでも、それなりの努力はしている。他方、補助地板の方は、どちらかというと、カバー板とか押さえ板とか言われているように、羽根室を覆うことが主目的であるため、その観点からは薄くすることが可能である。そして、事実、これまでも、そのようにしていた。
【０００９】
ところが、補助地板を薄くすると、特許文献１，２に記載のように、補助地板の羽根室側の面に、出力ピンの先端を挿入するための溝を窪み状に形成することができなくなる。そのため、これまでは、特許文献３に記載のような貫通孔を形成し、出力ピンの先端を、羽根室外へ突き出させるようにしていた。しかしながら、一見その突き出し量は少ないように思えても、実際のユニット全体の大きさに比較したり、配置されるスペースを考えたりすると、その突き出た先端部の存在が邪魔になり、カメラ設計の自由度を損なうことがあるため、出力ピンの先端を、出来れば、補助地板の羽根室外に突き出させないようにするか、突き出させざるを得ない場合でも、従来よりは０．５ｍｍでも０．３ｍｍでも短くしたいという要求がある。ところが、補助地板を薄くすると、モータの加工公差や主地板に対するモータの組立公差の問題があるし、停止時における羽根の衝撃で、羽根のみならず補助地板も瞬間的に変形し、出力ピンと羽根との嵌合が外れ易くなることもあって、簡単に短くするわけにはいかない。
【００１０】
本発明は、このような問題点を解決するためになされたものであり、その目的とするところは、主地板の羽根室外の面にムービングマグネット型モータを取り付け、その合成樹脂製の出力ピンを、羽根室内において羽根に形成されている孔に嵌合させている構成において、羽根室構成部を薄型化するために補助地板を薄くしても、出力ピンが補助地板の羽根室外へ突き出さないか、突き出してもその突出し量が僅かであり、しかも、羽根が変形しても主力ピンから外れないようにしたカメラ用羽根駆動装置を提供することである。
【００１１】
【課題を解決するための手段】
上記の目的を達成するために、本発明のカメラ用羽根駆動装置は、径方向に着磁された永久磁石を有していて所定の回転角度範囲でのみ往復回転する回転子と、巻回されているコイルへの通電方向に対応した方向へ前記回転子を回転させる固定子と、前記回転子と一体であって該回転子の径方向に張り出した位置において該回転子の回転軸と平行に延伸して設けられた合成樹脂製の出力ピンと、前記回転子と前記固定子からなるモータを一方の面に取り付けており前記出力ピンを他方の面側に貫通させるための長孔と光軸を中心にした撮影光路用の開口部とを有している主地板と、前記主地板との間に少なくとも一つの羽根室を構成しており光軸を中心とした撮影光路用の開口部を有する補助地板と、前記出力ピンを嵌合させる孔を有していて前記羽根室内で前記出力ピンに駆動されて前記開口部に出入りする少なくとも１枚の羽根と、を備えていて、前記出力ピンの先端には、前記羽根の孔に嵌合したあと熱溶解で形成された抜け止め用の鍔部が形成されているようにする。
【００１２】
その場合、前記固定子が、前記回転子の回転軸の両端を片方ずつ軸受けしロータ室を構成している二つの枠部材と、前記回転子の軸受け部を囲むようにしてそれらの二つの枠部材の外側に巻回されたコイルとを有していて、前記出力ピンは、前記ロータ室の外に設けられているようにしたり、前記補助地板には、前記鍔部の作動範囲にわたって長孔が形成されており、該鍔部は、少なくともその一部が該補助地板の厚さ内で作動するようにしたりすると、一層好適な構成となる。
【００１３】
【発明の実施の形態】
本発明の実施の形態を、図示した実施例によって説明する。本実施例は、本発明を、絞り機構と共にユニット化したカメラ用シャッタに適用したものであり、銀塩カメラにもデジタルスチルカメラにも採用することのできるものである。尚、図１は、絞り羽根が撮影光路用開口に挿入されておらず、シャッタ羽根が全開の状態を示した本実施例の平面図であり、図２は、図１のＡ―Ａ線断面図である。また、図３は、図１の背面図であり、図４は、図３の状態からシャッタ羽根が閉鎖した状態を示す背面図である。更に、図５は、実施例のモータの出力ピンに形成されている鍔部の加工工程の一例を示した説明図である。
【００１４】
先ず、本実施例の構成から説明ずる。図２から分かるように、本実施例は主地板１と補助地板２によって、それらの間に羽根室を構成し、補助地板２は、図示していない複数のねじによって、補助地板２側から主地板１に取り付けられている。また、主地板１と補助地板２の平面的な外形形状は略同じであり、それらの略中央部に円形をした撮影光路用の開口部１ａ，２ａが形成されているが、主地板１に形成されている開口部１ａの直径の方が小さいため、開口部１ａが撮影光路用開口ということになり、撮影光路の最大口径（絞り最大口）を規制していることになる。
【００１５】
本実施例の主地板１は合成樹脂製であって、羽根室外の面には、カメラ本体への取付けに必要な三つの取付孔１ｂ，１ｂ，１ｂが設けられている。また、開口部１ａを囲むようにして環状の凹部１ｃが形成されていて、図示していないレンズを羽根室側に寄せて配置できるようになっている。更に、主地板１の羽根室外の面には、シャッタ羽根駆動用と絞り羽根駆動用の二つのムービングマグネット型モータＭ１，Ｍ２が取り付けられている。そして、それらのモータＭ１，Ｍ２は全く同じ構成をしており、主地板１に対する取付け方も全く同じであるため、それらを代表して、シャッタ羽根駆動用のモータＭ１の構成だけを詳細に説明する。
【００１６】
先ず、本実施例の回転子３は、径方向に２極に着磁された円筒状の永久磁石３ａを有している。また、図２に示されているように、回転軸３ｂと、その径方向位置において回転軸３ｂと平行に延伸するように形成された出力ピン３ｃとは合成樹脂製であり、アウトサート加工によって永久磁石３ａに一体成形されている。そして、出力ピン３ｃの先端には、出力ピン３ｃの直径より大きな直径をした鍔部３ｄが形成されている。尚、図３及び図４においては、以後の説明をし易くするために、絞り羽根駆動用のモータＭ２の出力ピンに符号１３ｘを付け、その先端に形成されている鍔部に符号１３ｙを付けてある。
【００１７】
本実施例の固定子枠は、一端を閉塞された円筒状の上枠４と平板状の下枠５とによって構成されており、それらによって回転子３の回転軸３ｂを軸受けしている。また、上枠４と下枠５とは合成樹脂製であって、両者の外周面には、回転子３の軸受部を囲むようにして環状の凹溝が一連に形成され、その凹溝の中にコイル６が巻回されている。また、上枠４の周面には逃げ窓４ａが形成されており、下枠５には、回転軸３ｂを中心にした円弧状の長孔５ａが形成されていて、回転子３が所定の回転角度内で回転し得るようになっている。そして、主地板１と補助地板２にも、長孔５ａと相似形の長孔１ｄ，２ｂが形成されており、上記の出力ピン３ｃが長孔１ｄを貫通し、その鍔部３ｄが長孔２ｂ内で作動し得るようになっている。尚、二つの地板１，２には、モータＭ２の出力ピン１３ｘ用の長孔も形成されているが、図３及び図４においては、それらのうち、補助地板２に形成されている長孔に符号２ｘを付けてある。
【００１８】
また、上枠４には、張出部４ｂとフック部４ｃとが設けられていて、張出部４ｂを、下枠５に設けられた突出部５ｂの下に挿入し、フック部４ｃを下枠５に掛けておいてから、上記のコイル６を巻回するようになっている。また、図１から分かるように、上枠４には四つの細長い溝が形成されていて、それらに、鉄ピン７，７，７，７が挿入されている。これらの鉄ピン７，７，７，７は、コイル６の非通電状態において、回転子３の停止状態を維持させるためのものであるが、その具体的な働きは周知であるため説明を省略する。また、コイル６を巻回し鉄ピン７，７，７，７を挿入した上枠４の周囲には、円筒形をしたヨーク８が嵌装されている。そして、このような構成をしたモータＭ１は、下枠５の長さ方向の一端を主地板１のフック部１ｅに掛けておき、ビス９によって主地板１に取り付けられている。
【００１９】
そこで、次に、主に羽根室内の構成を説明する。羽根室内には、主地板側から、シャッタ羽根１０，シャッタ羽根１１，絞り羽根１２の順に配置されている。そして、シャッタ羽根１１と絞り羽根１２とは、いかなる作動状態においても常にそれらの一部が重なっているように配置されているため、作動中に羽根１１，１２が噛み合ってしまうことがない。従って、本実施例の場合には、従来のように仕切板を設けて、シャッタ羽根の羽根室と絞り羽根の羽根室とを別々に構成するようなことはしていない。
【００２０】
シャッタ羽根１０は、主地板１の軸１ｆに回転可能に取り付けられており、その軸１ｆは、先端部を補助地板２の孔２ｃに嵌合させている。また、シャッタ羽根１１は、主地板１の軸１ｇに回転可能に取り付けられており、その軸１ｇは、先端部を補助地板２の孔２ｄに嵌合させている。そして、シャッタ羽根１０，１１は、それらの長孔１０ａ，１１ａに、上記のモータＭ１の出力ピン３ｃを挿入させている。他方、絞り羽根１２は、主地板１の開口部１ａよりも口径の小さな開口部１２ａを有していて、主地板１の軸１ｈに回転可能に取り付けられており、その軸１ｈは、先端部を、補助地板２の孔２ｘに連設された孔２ｙに嵌合させている。そして、この絞り羽根１２は、その長孔１２ｂに、上記のモータＭ２の出力ピン１３ｘを挿入させている。
【００２１】
次に、図３及び図４を用いて本実施例の作動を説明する。上記のように、本実施例は、銀塩カメラにもデジタルスチルカメラにも採用できるものである。しかしながら、それらの両方の場合について説明するまでもないので、デジタルスチルカメラに採用された場合であって、ノーマルオープン方式で作動させられる場合について説明する。図３は、カメラの電源がオン状態になっているが、撮影が行われていない状態を示したものである。従って、この状態では、モニターによって、被写体像を観察することもできるし、撮影済みの画像も観察することができるようになっている。
【００２２】
また、周知であるため、その理由説明を省略するが、この状態のとき、モータＭ１の回転子３もモータＭ２の回転子も、永久磁石（３ａ）の磁極と鉄ピン（７）との配置関係によって、図３において反時計方向（図１においては時計方向）へ回転するように付勢されている。そのため、図３においては、モータＭ１の出力ピン３ｃが、シャッタ羽根１０を反時計方向へ回転させ、シャッタ羽根１１を時計方向へ回転させるように付勢しているが、シャッタ羽根１０，１１は、図示していないストッパに当接して、その停止状態を維持されている。他方、モータＭ２の出力ピン１３ｘは、絞り羽根１２を反時計方向へ回転させるように付勢しているが、絞り羽根１２は、図示していないストッパに当接して、その停止状態を維持されている。
【００２３】
このような図３の状態において、撮影に際し、被写体像を観察しながらレリーズボタンを押すが、測光回路による測定の結果、被写体の輝度が比較的小さいときには、モータＭ２のコイルに通電されず、絞り羽根１２は、図３の状態を維持したままとなっている。この状態において、露光制御回路から信号が出力されると、固体撮像素子はそれまでの電荷を放出した後、開口部１ａによって規制された大口径の下で、撮影のための電荷の蓄積を開始する（撮影のための露光開始）。そして、被写体の輝度に対応した所定の時間が経過すると、露光制御回路からの信号によって、モータＭ１のコイル６に、正方向の通電が行われ、回転子３は、図３において時計方向へ回転させられる。そのため、出力ピン３ｃは、開口部１ａ側へ移動させられ、シャッタ羽根１０を時計方向へ回転させ、シャッタ羽根１１を反時計方向へ回転させて、開口部１ａを閉じさせる。そして、シャッタ羽根１０，１１が、開口部１ａを完全に閉鎖した後、図示していないストッパに当接して停止させられた状態が、図４に示された状態である。
【００２４】
ところで、周知のように、このシャッタ羽根１０，１１の閉鎖作動は、速ければ速いほどよい。即ち、シャッタ羽根１０，１１の閉鎖によって撮影のための露光を終了させるようにしたカメラ仕様の場合には、その閉鎖速度が速くないと露光むらが大きくなるし、撮影のための露光が終了してから閉鎖させるようにしたカメラ仕様の場合には、その閉鎖作動が速くないと、スミア現象が顕著になるからである。しかしながら、シャッタ羽根１０，１１の速度を速くすればするほど、図示していないストッパに衝突したときの瞬間的な衝撃が大きくなって、シャッタ羽根１０，１１が大きく変形させられるが、本実施例の場合には、出力ピン３ｃの先端に形成されている鍔部３ｄの直径が、長孔１０ａ，１１ａの幅よりも大きいため、出力ピン３ｃの長さが従来より短くても、シャッタ羽根１０，１１が出力ピン３ｃから抜けることがない。
【００２５】
このようにしてシャッタ羽根１０，１１が閉鎖されると、その状態で固体撮像素子の撮像情報が記憶装置に転送され、その後、モータＭ１のコイル６に、先ほどとは逆方向の通電が行われる。そのため、回転子３は、図４において反時計方向へ回転させられ、出力ピン３ｃは、開口部１ａから遠ざかる方向へ移動させられ、シャッタ羽根１０を反時計方向へ回転させ、シャッタ羽根１１を時計方向へ回転させる。その結果、シャッタ羽根１０，１１は、開口部１ａを開いてゆき、開口部１ａを完全に開放した後、図示していないストッパに当接して停止させられる。その状態が図３に示された状態である。
【００２６】
このシャッタ羽根１０，１１の開き作動も、速ければ速いほどよい。即ち、速ければ速いほど、早く次の撮影に移ることが可能となり、所謂連写を行うのに好都合となるからである。しかしながら、そのようにすると、ストッパに当接したときの衝撃が大きく、シャッタ羽根１０，１１が大きいく変形させられるが、そのようなことになっても、本実施例の場合には、上記した理由によって、シャッタ羽根１０，１１が出力ピン３ｃから抜けない。尚、本実施例の場合、主地板１の軸１ｆ，１ｇには、鍔部３ｄのような鍔部を形成していない。それは、軸１ｆ，１ｇが、シャッタ羽根１０，１１に形成された円形の孔に、大きな遊びを設けずに嵌合されていて、その周辺でのシャッタ羽根１０，１１の変形度が少ないからであるが、必要があれば鍔部を設けることになる。
【００２７】
上記の作動説明は、被写体の輝度が比較的小さいときであった。そこで、次に、被写体の輝度が比較的大きい場合を説明する。このときには、レリーズボタンが押されると、測光回路による測光結果に応じて、先ず、モータＭ２のコイルに通電され、図３において回転子が時計方向へ回転させられ、出力ピン１３ｘを開口部１ａに向けて移動させる。そのため、絞り羽根１２も時計方向へ回転させられ、開口部１ａに進入していく。そして、開口部１２ａが光軸を中心とした位置に達したとき、図示していないストッパに当接して停止させられる。その結果、撮影光路は、開口部１ａより直径の小さな開口部１２ａによって規制されたことになる。
【００２８】
このようにして、絞り羽根１２が停止させられると、固体撮像素子の電荷が放出され、開口部１２ａによって規制された小口径の下で、撮影のための電荷の蓄積が開始する。その後は、既に説明したようにして、シャッタ羽根１０，１１の閉じ作動と開き作動が行われて、次の撮影に備えることになる。その場合、図３の状態への絞り羽根１２の復帰作動は、シャッタ羽根１０，１１が開口部１２ａを閉鎖した後であればいつでもよいことになるが、制御系の設計が複雑になるため、実際には、シャッタ羽根１０，１１が開口部１ａを閉鎖した段階で、復帰させることになる。そして、その場合には、モータＭ２のコイルに対して逆方向の通電をし、回転子と絞り羽根１２を反時計方向へ回転させる。その後、絞り羽根１２は、図３の状態になると、図示していないストッパに当接して停止する。
【００２９】
このようにして行われる絞り羽根１２の作動は、速ければ速いほどよい。即ち、図３の状態から作動を開始し、開口部１２ａを開口部１ａに挿入して停止するまでの時間が長いと、レリーズボタンを押してから固体撮像素子が撮影のための露光を開始するまでの時間が長くなってしまい、動いている被写体などを撮影した場合には、意図した状態での撮影が行えず、シャッタチャンスを逸してしまう可能性が大きくなるからである。また、図３の状態への復帰作動は、少なくともシャッタ羽根１０，１１と同時には終了していないと、上記したように、次の撮影に早く移ることができなくなり、連写を行うのに不都合となるからである。
【００３０】
しかしながら、絞り羽根１２の作動速度を速くすると、上記したシャッタ羽根１０，１１の場合と同様に、ストッパに当接したときの衝撃が大きく、絞り羽根１２が大きいく変形させられるが、そのようなことになっても、本実施例の場合には、出力ピン１３ｘの先端に、絞り羽根１２の長孔１２ｂの幅よりも大きな直径の鍔部１３ｙが形成されているので、絞り羽根１２が出力ピン１３ｘから抜けてしまうようなことがない。尚、この絞り羽根１２を取り付けている主地板１の軸１ｈの場合には、その先端に鍔部１３ｙのような鍔部を形成していないが、必要に応じて形成してもよいことは、上記の軸１ｆ，１ｇの場合と同じである。
【００３１】
そこで、次に、上記の出力ピン３ｃ，１３ｘに、鍔部３ｄ，１３ｙを形成する方法を説明するが、二つの鍔部３ｄ，１３ｙは同じ方法で形成されるので、図５を用いて鍔部３ｄの場合についてだけ説明する。図５は、その工程を示したものである。先ず、図５（ａ）は、モータＭ１を主地板１に取り付けた状態において、出力ピン３ｃにシャッタ羽根１０，１１の長孔１０ａ，１１ａ（図５においては符号省略）を嵌合させた状態である。このとき、少なくともシャッタ羽根１０，１１は、主地板１の羽根室側の面に密着させられた状態にある。従って、加工時には、主地板１とシャッタ羽根１０，１１との上下位置を逆にするのが普通であるが、図２とのバランスもあって、あえてこのような上下関係で示してある。
【００３２】
図５（ｂ）は、このような図５（ａ）の状態において、先端を二股に形成した治具１４，１５を、出力ピン３ｃの左右から進行させてきた途中の状態を示したものであり、そのときの下面図が図５（イ）である。その後、断熱性及び耐熱性のある治具１４，１５の先端を重ねて出力ピン３ｃを挟持すると、下方から加熱具１６を出力ピン３ｃに接近させていく。その状態が図５（ｃ）に示されており、そのときの加熱具１６を除いた下面図が図５（ロ）である。そして、加熱具１６を軽く接触させながら出力ピン３ｃの先端を加熱して変形させてゆき、円形の鍔部３ｄを形成し終わった状態が図５（ｄ）に示されており、そのときの加熱具１６を除いた下面図が図５（ハ）である。
【００３３】
その後、加熱具１６を鍔部３ｄから下方へ引き離し、治具１４，１５を左右に後退させつつある状態が図５（ｅ）に示されており、そのときの下面図が図５（ニ）である。そして、主地板１に補助地板２を取り付けた状態が、図５（ｆ）に示されており、このとき、シャッタ羽根１０，１１と絞り羽根１２は、二つの地板１，２間で、スムースに作動できるようになっている。このような鍔部３ｃの形成方法は、単に一例として説明したものであるが、このような方法によれば、モータＭ１の加工公差や主地板１への組立上の公差があったとしても、主地板１の羽根室側の面から鍔部３ｄまでの寸法を略一定に加工することができ、極めて有利である。
【００３４】
尚、実施例においては、鍔部３ｄ，１３ｙが円形をしていて、その直径が長孔１０ａ，１１ａ，１２ｂの幅よりも大きく形成されている場合を説明したが、鍔部３ｄ，１３ｙの形状は長孔１０ａ，１１ａ，１２ｂから抜けない形状であればよく、円形に限ったものではない。また、本実施例の場合には、鍔部３ｄ，１３ｙが補助地板２の羽根室外の面から殆ど突出ていないが、補助地板２を非常に薄くした場合などには若干突き出てしまう場合もある。しかしながら、そのような態様も本発明の態様であり、従来よりは突出し量が少ないにもかかわらず、各羽根が出力ピンから確実に抜けないようになっている。また、羽根室内に余裕がとれる場合には、鍔部が完全に羽根室内で作動するようにしても差し支えない。更に、上記の実施例においては、主地板１と補助地板２の間に、シャッタ地板１０，１１と絞り羽根１２とを配置しているが、シャッタ羽根のみを配置したシャッタ羽根駆動装置として構成した場合も、絞り羽根のみを配置した絞り羽根駆動装置として構成した場合にも、本発明の態様である。
【００３５】
【発明の効果】
以上のように、本発明は、主地板の羽根室外の面にムービングマグネット型モータを取り付け、その合成樹脂製の出力ピンを、羽根室内において羽根に形成されている孔に嵌合させている構成において、羽根室構成部を薄型化するために補助地板を薄くしても、出力ピンの先端に鍔部が形成されていて、その鍔部が補助地板の羽根室外へ突き出さないか、突き出してもその量が僅かであるから、カメラの設計の自由度が大きく、しかも、強い衝撃によって羽根などがどんなに変形させられても、羽根が出力ピンから外れないという特徴がある。
【図面の簡単な説明】
【図１】絞り羽根が撮影光路用開口に挿入されておらず、シャッタ羽根が全開の状態を示した実施例の平面図である。
【図２】図１のＡ―Ａ線断面図である。
【図３】図１の背面図である。
【図４】図３の状態からシャッタ羽根が閉鎖した状態を示す背面図である。
【図５】実施例におけるモータの出力ピンに形成された鍔部を形成するための加工工程の一例を示した説明図である。
【符号の説明】
１                      主地板
１ａ，２ａ，１２ａ      開口部
１ｂ                    取付孔
１ｃ                    凹部
１ｄ，２ｂ，２ｘ，５ａ，１０ａ，１１ａ，１２ｂ  長孔
１ｅ，４ｃ              フック部
１ｆ，１ｇ，１ｈ        軸
２                      補助地板
２ｃ，２ｄ，２ｙ        孔
３                      回転子
３ａ                    永久磁石
３ｂ                    回転軸
３ｃ，１３ｘ            出力ピン
３ｄ，１３ｙ            鍔部
４                      上枠
４ａ                    逃げ窓
４ｂ                    張出部
５                      下枠
５ｂ                    突出部
６                      コイル
７                      鉄ピン
８                      ヨーク
９                      ビス
１０，１１              シャッタ羽根
１２                    絞り羽根
１４，１５              治具
１６                    加熱具
【図１】
2004205996.tif 000003
【図２】
2004205996.tif 000004
【図３】
2004205996.tif 000005
【図４】
2004205996.tif 000006
【図５】
2004205996.tif 000007